(57)【要約】      （修正有）【課題】安価で簡単な構造で、建築物の壁面を検査することができる壁面検査装置を提供する。【解決手段】建築物の壁面検査装置は、上下枠及び左右枠により四角形に形成された枠本体１０と、前記枠本体１０の下枠に設けられた打診部２０と、前記上枠左右両端にそれぞれ設けられた本体吊下部１４と、前記枠本体の上枠の中央部に設けられた集音マイク１６と、前記枠本体の上枠左右両端に錘吊下部１７と、前記枠本体の前記左右枠の上下それぞれに回動自在に設けられた車輪１５と、を備えた建築物の壁面検査装置であって、前記本体吊下部にワイヤロープの一端を締結し、ワイヤロープの他端を巻き上げ機により、前記枠本体を建造物の壁面の上下方向に移動可能とするとともに、前記錘吊下部に錘を吊下げることで、前記打診部と壁面との打診音又は摺動音を前記集音マイク１６で集音し、集音した打診音又は摺動音により建造物の壁面の状態を診断する。【選択図】図１
2019148547.tif 000002
【特許請求の範囲】
【請求項１】
中央に矩形開口部を有し、上下枠及び左右枠により四角形に形成された枠本体と、
前記枠本体の下枠に設けられた壁面を打診又は摺動する打診部と、
前記枠本体の上枠左右両端にそれぞれ設けられた本体吊下部と、
前記枠本体の上枠の中央部に設けられた集音マイクと、
前記枠本体の上枠左右両端に多段階で水平方向に伸縮自在に設けられた錘吊下部と、
前記枠本体の前記左右枠の上下それぞれに回動自在に設けられた車輪と、
を備えた建築物の壁面検査装置であって、
前記本体吊下部にワイヤロープの一端を締結し、ワイヤロープの他端を巻き上げ機により巻き上げ又は巻き下げることで、前記枠本体を建造物の壁面の上下方向に移動可能とするとともに、前記錘吊下部に錘を吊下げることで前記打診部を建造物の壁面に押圧した状態で、前記打診部と壁面との打診音又は摺動音を前記集音マイクで集音し、集音した打診音又は摺動音により建造物の壁面の状態を診断することを特徴とする建築物の壁面検査装置。
【請求項２】
前記打診部は、壁面を打診する複数の打診棒を備え、各打診棒を水平方向に時間差で変位させることで発生する前記打診棒の先端と壁面との打診音により、建造物の壁面の状態を診断することを特徴とする請求項１に記載の建築物の壁面検査装置。
【請求項３】
前記打診棒の壁面側の先端を壁面に押圧した状態で、前記枠本体を上下方向に移動させることで発生する摺動音により、建造物の壁面の状態を診断することを特徴とする請求項１又は請求項２に記載の建築物の壁面検査装置。
【請求項４】
作業者が乗車することを可能とした乗車部と前記枠本体を吊下げる吊下部を有する作業ボックスを備えたことを特徴とする請求項１〜３のいずれか１項に記載の建築物の壁面検査装置。
【発明の詳細な説明】
【技術分野】
【０００１】
本発明は、建築物の壁面検査装置に関し、詳しくは、タイル張りの壁面のタイルの貼付状態を打診検査して異常を検出する建築物の壁面検査装置に関する。
【背景技術】
【０００２】
従来、建築物のタイル張りの壁面においては、自然災害（台風、竜巻、地震等）の影響で、壁面に亀裂やタイルの剥がれ等が生じる場合がある。この亀裂やタイルの剥がれは外観から人が見た眼で判断可能であり、損傷個所を修復すればよい。しかしながら、特に地震発生時には、外観には変化はないが、タイルとタイルが貼付された壁面との間に外観からでは見えない剥がれ等が生じる場合がある。
【０００３】
このような外観上では損傷が判らない壁面の検査方法として、検査棒４を左右に移動させ、擦る又は叩くの２工程の動作を任意に切換えて壁面音を発生させ、巻取ウインチ２の上昇を連続作動でジグザグ状に、又は検査棒４の左右移動と交互作動により矩形波状に壁面を検査する建造物壁面の検査方法が開示されている（特許文献１参照）。
【０００４】
また、診断装置を壁面と一定間隔を保ってスムーズに昇降させることができるとともに、予め診断壁面の状態に合わせて必要数の診断装置をセットして一度の上昇あるいは下降において広い範囲の診断が可能であり、さらに構成が簡単且つ安価な壁面診断装置が開示されている（特許文献２参照）。
【先行技術文献】
【特許文献】
【０００５】
【特許文献１】特開平６−３３１５１１号公報
【特許文献２】特開２００４−２６４１７１号公報
【発明の概要】
【発明が解決しようとする課題】
【０００６】
特許文献１の建造物壁面の検査方法では、壁面検査機本体の一本の検査棒で、振り子状に壁面を擦る又は叩くを任意に切換えて壁面を検査する方法のため、壁面の検査時に検査棒を一定の範囲で左右に移動させる必要があり検査効率が悪いという問題がある。また、検査棒の先端を壁面に押圧する機構等は何ら開示されておらず、使用する場所の気象（主に、風）による本体の揺動で、検査棒の先端が正確に壁面に沿って移動できない恐れがある。
【０００７】
また、特許文献２の壁面診断装置では、壁面に矩形枠体を押圧するための機構（両側縦枠にガイド輪の車軸より壁面から離してそれぞれガイドプーリを設け、該それぞれのガイドプーリにガイドワイヤロープが掛け渡され、該それぞれのガイドワイヤロープの上下端が前記壁面方向に押圧される機構）が必要であり、これでは、構成が簡単な壁面診断装置とはいえない。
【０００８】
この発明では、かかる課題を解消すべく、安価で簡単な構造で、気象に関わらず、建築物の壁面を検査することができる壁面検査装置を提供することを目的とする。
【課題を解決するための手段】
【０００９】
上記課題を解決するために、本発明は、中央に矩形開口部を有し、上下枠及び左右枠により四角形に形成された枠本体と、前記枠本体の下枠に設けられた壁面を打診又は摺動する打診部と、前記枠本体の上枠左右両端にそれぞれ設けられた本体吊下部と、前記枠本体の上枠の中央部に設けられた集音マイクと、前記枠本体の上枠左右両端に多段階で水平方向に伸縮自在に設けられた錘吊下部と、前記枠本体の前記左右枠の上下それぞれに回動自在に設けられた車輪と、を備えた建築物の壁面検査装置であって、前記本体吊下部にワイヤロープの一端を締結し、ワイヤロープの他端を巻き上げ機により巻き上げ又は巻き下げることで、前記枠本体を建造物の壁面の上下方向に移動可能とするとともに、前記錘吊下部に錘を吊下げることで前記打診部を建造物の壁面に押圧した状態で、前記打診部と壁面との打診音又は摺動音を前記集音マイクで集音し、集音した打診音又は摺動音により建造物の壁面の状態を診断することを特徴とする建築物の壁面検査装置とした。
【００１０】
また、前記打診部は、壁面を打診する複数の打診棒を備え、各打診棒を水平方向に時間差で変位させることで発生する前記打診棒の先端と壁面との打診音により、建造物の壁面の状態を診断することを特徴とする。
【００１１】
また、前記打診棒の壁面側の先端を壁面に押圧した状態で、前記枠本体を上下方向に移動させることで発生する摺動音により、建造物の壁面の状態を診断することを特徴とする。
【００１２】
また、作業者が乗車することを可能とした乗車部と前記枠本体を吊下げる吊下部を有する作業ボックスを備えたことを特徴とする。
【発明の効果】
【００１３】
本発明は、中央に矩形開口部を有し、上下枠及び左右枠により四角形に形成された枠本体と、枠本体の下枠に設けられた壁面を打診又は摺動する打診部と、枠本体の上枠左右両端にそれぞれ設けられた本体吊下部と、枠本体の上枠の中央部に設けられた集音マイクと、枠本体の上枠左右両端に多段階で水平方向に伸縮自在に設けられた錘吊下部と、枠本体の左右枠の上下それぞれに回動自在に設けられた車輪と、を備えた建築物の壁面検査装置であって、本体吊下部にワイヤロープの一端を締結し、ワイヤロープの他端を巻き上げ機により巻き上げ又は巻き下げることで、枠本体を建造物の壁面の上下方向に移動可能とするとともに、錘吊下部に錘を吊下げることで打診部を建造物の壁面に押圧した状態で、打診部と壁面との打診音又は摺動音を集音マイクで集音し、集音した打診音又は摺動音により建造物の壁面の状態を診断する。これにより、壁面の検査時の気象（主に風力）に応じて、多段階(例えば、３段階)に伸長する錘吊下部の長さを調整して、錘を吊下げることができるため、簡単な構造で打診部と建造物の壁面との押圧力を調整することが可能となり、安定した壁面検査を行うことが可能となる。
【００１４】
また、錘吊下部に吊下げる錘も重量の異なる複数の錘を予め用意して、錘吊下部に吊下げフック等で簡易に装着できるように構成することで、打診部と建造物の壁面との押圧力を簡易に微調整することができ、さらに、安定した壁面と打診部による打診音又は摺動音による壁面検査を行うことができる。
【００１５】
ここで、本実施形態における壁面検査における壁面と打診部による打診音又は摺動音（以下、壁面検査データともいう。）の診断は、例えば、上枠の中央部に設けられた集音マイクからの壁面検査データを専用の解析ソフトがインストールされたパソコン（パーソナルコンピュータ）に入力して診断してもよいし、熟練の作業者が、集音マイクからの壁面検査データを直接聴音することで、壁面の異常を診断する方法でもよい。
【００１６】
また、打診部は、壁面を打診する複数の打診棒を備え、各打診棒を水平方向に時間差で変位させることで発生する打診棒の先端と壁面との打診音により、建造物の壁面の状態を診断する。これにより、各打診棒の打診音が重複することがなく、壁面の診断箇所の正確な打診音を検出することができ、壁面の異常個所を正確に検出することができる。
【００１７】
また、打診棒の壁面側の先端を壁面に押圧した状態で、枠本体を上下方向に移動させることで発生する摺動音により、建造物の壁面の状態を診断する。これにより、上述したように、気象に合わせて、錘吊下部の長さを調整するとともに吊下げる錘も調整することで、安定した各打診棒と壁面との摺動音を検出することができ、壁面の異常個所を正確に検出することができる。
【００１８】
また、作業者が乗車することを可能とした乗車部と枠本体を吊下げる吊下部を有する作業ボックスを備えたため、作業ボックスに作業者が乗車した状態で打診部と壁面との打診音又は摺動音を作業者が直接聴音可能となる。このため、熟練の作業者等による壁面の異常検出を速やかに行うことができる。
【図面の簡単な説明】
【００１９】
【図１】本実施形態に係る壁面検査装置の構成を示す斜視図である。
【図２】本実施形態に係る壁面検査装置の構成を示す正面図である。
【図３】本実施形態に係る壁面検査装置の構成を示す底面図である。
【図４】本実施形態に係る壁面検査装置の打診部の動作を示す側面図である。
【図５】本実施形態に係る壁面検査装置の使用例を示す側面図である。
【図６】本実施形態に係る壁面検査装置の検査対象を含めた使用例を示す側面図である。
【図７】本実施形態に係る作業者の乗車部と壁面検査装置とを備えた作業ボックスを示す側面図である。
【発明を実施するための形態】
【００２０】
本発明の要旨は、中央に矩形開口部を有し、上下枠及び左右枠により四角形に形成された枠本体と、枠本体の下枠に設けられた壁面を打診又は摺動する打診部と、枠本体の上枠左右両端にそれぞれ設けられた本体吊下部と、枠本体の上枠の中央部に設けられた集音マイクと、枠本体の上枠左右両端に多段階で水平方向に伸縮自在に設けられた錘吊下部と、枠本体の左右枠の上下それぞれに回動自在に設けられた車輪と、を備えた建築物の壁面検査装置であって、本体吊下部にワイヤロープの一端を締結し、ワイヤロープの他端を巻き上げ機により巻き上げ又は巻き下げることで、枠本体を建造物の壁面の上下方向に移動可能とするとともに、錘吊下部に錘を吊下げることで打診部を建造物の壁面に押圧した状態で、打診部と壁面との打診音又は摺動音を集音マイクで集音し、集音した打診音又は摺動音により建造物の壁面の状態を診断するところにある。
【００２１】
以下、本実施形態に係る壁面検査装置について、図面を参照しながら説明する。図１は、本実施形態に係る壁面検査装置の構成を示す斜視図である。図２は、本実施形態に係る壁面検査装置の打診部の構成を示す正面図である。図３は、本実施形態に係る壁面検査装置の打診部の構成を示す底面図である。図４は、本実施形態に係る壁面検査装置の打診部の動作を示す側面図である。図５は、本実施形態に係る壁面検査装置の使用例を示す側面図である。図６は、本実施形態に係る壁面検査装置の検査対象を含めた使用例を示す側面図である。図７は、本実施形態に係る作業者の乗車部と壁面検査装置とを備えた作業ボックスを示す側面図である。
【００２２】
図１及び図２に示すように、壁面検査装置は、上枠１１、下枠１２及び左右枠１３、１３により矩形（四角形）に形成され、中央に矩形開口部を有する枠本体１０と、枠本体１０の下枠１２に設けられた壁面Ｈを打診又は摺動する打診部２０と、枠本体１０の上枠１１の左右両端にそれぞれ設けられた本体吊下部１４、１４と、枠本体１０の上枠１１の中央部に設けられた集音マイク１６と、枠本体１０の上枠１１の左右両端に多段階で水平方向に伸縮自在に設けられた錘吊下部１７、１７と、枠本体１０の左右枠１３、１３の側面上下にそれぞれに回動自在に設けられた４個の車輪１５により構成される。上枠１１、下枠１２及び左右枠１３、１３の素材としては、耐久性のある鋼板等が好適に用いられる。
【００２３】
枠本体１０の下枠１２に設けられた打診部２０は、詳細は後述するが、複数（本実施形態では９個）の打診棒２１の壁面Ｈ側先端に設けた打診球２１ａを検査する壁面Ｈに打診及び摺動させることで壁面検査データ（打診音又は摺動音）を発生させることができる機構を有している。
【００２４】
枠本体１０の上枠１１の左右両端上部にそれぞれ設けられた本体吊下部１４、１４は、ワイヤロープＲの一端を締結可能なようにリング状に形成されている。そして、図６に示すように、本体吊下部１４、１４にワイヤロープＲの一端を締結し、建築物の屋上に設置された巻き上げ機３０により、ワイヤロープＲの他端を巻き上げ又は巻き下げることで、枠本体１０を建造物の壁面Ｈの垂直方向に移動可能としている。
【００２５】
枠本体１０の左右枠１３、１３の側面上下に回動自在に設けた４個の車輪１５は、枠本体１０が壁面Ｈを上下動する際に気象（主に、風）によって煽られたとしても枠本体１０と壁面Ｈが直に接触することを規制して壁面Ｈおよび枠本体１０が破損することを防止している。なお、左右枠１３、１３の下部左右に設けられた２個の車輪１５は、後述する打診部２０を構成する打診棒２１の先端の打診球２１ａの方が該車輪１５の外周部よりも壁面Ｈ側に突出している。従って、枠本体１０の下方において、打診球２１ａと壁面Ｈとの接触を維持することが可能となる。
【００２６】
枠本体１０の上枠１１の中央部に設けられた集音マイク１６は、打診棒２１の壁面Ｈ側先端の打診球２１ａを検査する壁面Ｈに打診したり摺動したりした場合に発生する音（つまり、打診球２１ａによる壁面Ｈの打診音又は摺動音からなる壁面検査データ）を集音するためのものである。本実施形態における壁面検査時の壁面検査データの診断は、例えば、この集音マイク１６からの壁面検査データを専用の解析ソフトがインストールされたパソコン（パーソナルコンピュータ）に入力して診断することができる。また、熟練の作業者が、集音マイク１６からの壁面検査データを直接聴音することで、壁面Ｈの異常を診断することもできる。このように、上枠１１の中央部に集音マイク１６に設けることで、複数（本実施形態では９個）の打診棒２１の先端の打診球２１ａを、検査する壁面Ｈに打診したり摺動したりして得られる壁面検査データ（打診音又は摺動音）を、枠本体１０の中央に形成された矩形開口部を介して、遮られることなく効率よく集音できる構成としている。
【００２７】
図1及び図５に示すように、枠本体１０の上枠１１の左右両端側面にそれぞれ設けられた錘吊下部１７、１７は、基端を壁面Ｈと反対側の上枠１１の左右両端側面に固設し、先端の錘吊下端１７ａを水平方向に多段階（例えば、３段階）で伸縮自在としている。錘吊下端１７ａはリング状に形成されており所定重量の錘Ｗが吊下げられる。錘Ｗの上部にはワイヤロープＲの一端が締結され、他端には錘Ｗを錘吊下端１７ａに係止するためのフックＦが設けられている。そして、このフックＦを錘吊下部１７の錘吊下端１７ａに引っかけることで錘Ｗが吊下げられる構成としている。本実施形態においては、錘吊下部１７の錘吊下端１７ａに吊下げる錘Ｗも重量の異なる複数の錘Ｗが予め用意されているため、錘吊下部１７の錘吊下端１７ａにフックＦで簡易に着脱できるようにしている。なお、フックＦとしては、例えば、リング状の錘吊下端１７ａに着脱容易ではあるが、係止状態をロック可能な外れ止め金具を備えたフック等が好適に用いられる。
【００２８】
このように錘吊下部１７の錘吊下端１７ａに錘Ｗを吊下げられる構成とすることで、図５（ａ）に示すように、錘Ｗが吊下げられていない状態では、壁面Ｈと所定間隔を置いて枠本体１０は、本体吊下部１４、１４により垂直に吊下げられた状態となる。これに対して、図５（ｂ）に示すように、錘吊下部１７の錘吊下端１７ａに錘Ｗが吊下げられると、枠本体１０に錘Ｗの荷重（図中黒矢印）がかかり、本体吊下部１４、１４を中心として上枠１１は壁面Ｈから離れる方向に傾動する。一方、下枠１２は壁面Ｈに近づく方向に傾動し、下枠１２に設けられた打診部２０の複数（本実施形態では９個）の打診棒２１の壁面Ｈ側の先端の打診球２１ａは、所定の圧力で壁面Ｈに押圧（図中白矢印）されることになる。
【００２９】
このように、本実施形態においては、検査現場の気象（主に風力）の変化に対応して、錘吊下部１７の水平方向の長さや、錘吊下部１７の錘吊下端１７ａに吊下げる錘Ｗの重量を変更することで、打診部２０（打診棒２１の壁面Ｈ側の先端の打診球２１ａ）と建造物の壁面Ｈとの押圧力を容易に調整可能としている。具体的には、壁面Ｈの周囲に強風が吹いている場合は、錘吊下部１７の錘吊下端１７ａを最長に伸長し、錘吊下端１７ａに最重量の錘Ｗを吊下することで、打診部２０（打診棒２１の壁面Ｈ側の先端の打診球２１ａ）と建造物の壁面Ｈとの押圧力を高め、強風により打診部２０が煽られて壁面Ｈから離反するような状況を防止することができ、壁面Ｈの検査を確実に行うことができる。
【００３０】
以下、図３〜５を参照して、本実施形態における打診部２０の構成及び動作を説明する。打診部２０は、枠本体１０の下枠１２の壁面側に配設されており、複数（本実施形態では９個）の打診棒２１が、取り付けフレーム２５に等間隔に設置されている。打診棒２１は、壁面Ｈ側先端の球状の打診球２１ａと、後端のワッシャ２１ｂと、取り付けフレーム２５に打診棒２１を固定する固定部２１ｄと、打診球２１ａと固定部２１ｄとの間に配設されたコイルスプリング２１ｃとにより構成される。打診棒２１の素材としてはＳＵＳ（ステンレス鋼）が好適に用いられ、打診球２１ａの直径は２０ｍｍ程度が望ましい。
【００３１】
打診部２０の駆動部は、モータＭと、このモータＭにより回動自在に連結されたアルミロッド２２とにより構成される。アルミロッド２２には、所定の等間隔で円盤型のセットカラー２３が固設されており、このセットカラー２３の外周には、セットカラー２３の中心から放射状に引っかけピン２４が延設されており、この引っかけピン２４の先端は樹脂製の保護カバー２４ａで覆われている。
【００３２】
上記構成により、モータＭの回転に応じてアルミロッド２２が回転し、アルミロッド２２に所定の等間隔で固設されたセットカラー２３が回転する。これにより、図４に示すように、セットカラー２３の外周に設けられた引っかけピン２４の先端（保護カバー２４ａ）が、打診棒２１の後端に設けられたワッシャ２１ｂと接触し、水平に壁面Ｈから離れる方向に打診棒２１を移動させる。これにより、打診棒２１の打診球２１ａと固定部２１ｄとの間に配設されたコイルスプリング２１ｃが圧縮（図４（ｂ））される。
【００３３】
さらに、回転するセットカラー２３の外周に設けられた引っかけピン２４の保護カバー２４ａと、打診棒２１の後端に設けられたワッシャ２１ｂとの接触が進行すると、保護カバー２４ａとワッシャ２１ｂとが略３０度の角度で接触し、水平に壁面Ｈから最も離れる位置に打診棒２１を移動させる。これにより、打診棒２１の打診球２１ａと固定部２１ｄとの間に配設されたコイルスプリング２１ｃが最大に圧縮（図４（ｃ））される。
【００３４】
さらに、セットカラー２３が回転すると、保護カバー２４ａとワッシャ２１ｂとの接触が外れることで、打診棒２１の壁面Ｈ側先端の打診球２１ａは、コイルスプリング２１ｃの圧縮が解放されて壁面Ｈ側に突出し、打診球２１ａと壁面Ｈとが衝突することで打診音が発生する。
【００３５】
なお、アルミロッド２２に固設された円盤型のセットカラー２３の外周に設けられた引っかけピン２４は、各セットカラー２３の外周に回転方向に異なる位相（略３０度）となるように、セットカラー２３の外周にそれぞれ延設されている。つまり、上述した、セットカラー２３の回転による引っかけピン２４の先端の保護カバー２４ａと打診棒２１の後端のワッシャ２１ｂとの接触及び接触の解除は、それぞれ９個の打診棒２１毎にタイミングをずらす構成としている。これにより、９個の打診棒２１の打診球２１ａと壁面Ｈとが異なるタイミングで衝突することで発生する打診音が重複することなく集音マイク１６で集音することを可能としている。
【００３６】
また、打診棒２１の打診球２１ａと壁面Ｈとの摺動音を集音する場合は、全てのセットカラー２３の回転による引っかけピン２４の先端の保護カバー２４ａと、打診棒２１を構成するワッシャ２１ｂとが接触しない位置で、モータＭの回転を停止した状態で行う。これにより、９個の打診棒２１の打診球２１ａと壁面Ｈとが確実に接触した状態で、打診棒２１の打診球２１ａと壁面Ｈとの摺動音を集音することができる。
【００３７】
また、本壁面検査装置は図７に示すように作業者Ｓが乗車する乗車部Ｅを備えた装置とすることもできる。具体的に乗車部Ｅは、作業者Ｓを収容するための壁面Ｈ側側面と左右側面を開口部とした作業ボックス４０と、該作業ボックス４０内に固定された作業者の落下防止用の安全柵５０と、該作業ボックス４０の壁面Ｈ側の左右下端部にそれぞれ設けた２個の回動自在の車輪４４と、該作業ボックス４０の下板４３の下面四隅近傍に形成した４個の車輪４５で形成されている。
【００３８】
作業ボックス４０は図７に示すように、壁面Ｈ側の前面及び左右側面を開放して、略板状の上板４１、背板４２及び下板４３によりその内部に作業者Ｓが乗車する乗車部Ｅのスペースを確保して側面視略コ字状に形成されている。
【００３９】
上板４１の壁面Ｈ側上面の左右両端部近傍には、リング状の作業ボックス吊下部４６がそれぞれ配設されている。作業ボックス吊下部４６は図７に示すようにワイヤロープＲの一端部を締結し、他端部を建物屋上に設置した巻き上げ機３０（図６参照）に連結しており、この巻き上げ機３０によるワイヤロープＲの巻き取り、巻き下げ作動によって作業ボックス４０を上昇させたり下降させたりする。
【００４０】
上板４１の壁面Ｈ側の下面左右両端部近傍には、枠本体１０を吊下げるリング状の吊下部４７、４７がそれぞれ配設されている。吊下部４７、４７はワイヤロープＲの一端部が締結され、他端部を枠本体１０の本体吊下部１４、１４に締結し、吊下部４７、４７の下方に、枠本体１０を吊下げる構成としている。なお、枠本体１０の錘吊下部１７の錘吊下端１７ａに錘Ｗを吊下げることで、打診部２０に設けた打診球２１ａを所定の圧力で壁面Ｈに押圧して、気象（主に、風）による枠本体１０の揺動を低減しつつ安定して壁面検査をすることができる。
【００４１】
背板４２は壁面Ｈから最も離れた位置、すなわち、検査中の作業者Ｓの背面をガードする位置に設けられている。そのため、作業者Ｓが不意な突風などによりバランスを崩した際に最も対処しにくい背面側を保護し、作業者Ｓが乗車部Ｅから転落することを防止して、壁面検査時の作業者Ｓの安全を図っている。
【００４２】
下板４３は壁面Ｈ側の左右側面部には、それぞれ回動自在の車輪４４、４４が設けられている。車輪４４、４４の外周部は上板４１及び下板４３の壁面Ｈ側端部よりも壁面Ｈ側に突出しており、作業ボックス４０が所定の作業位置まで下降、もしくは上昇する最中に気象（主に、風）で煽られたとしても、作業ボックス４０と壁面Ｈが接触することを規制して壁面Ｈ及び作業ボックス４０が破損することを防止している。
【００４３】
下板４３の下面部四隅近傍には、それぞれ４個の車輪４５が配設されている。車輪４５は回動自在であり、作業準備中及び作業終了後の作業ボックス４０を移動させる場合の移動手段である。
【００４４】
また、図７に示すように、作業ボックス４０の下板４３の両サイドの上面には安全柵５０を備えている。この安全柵５０は、作業ボックス４０の検査中の作業者Ｓの左右側面をガードする位置に設けられている。安全柵５０は、略パイプ状の上桟５１、横桟５２、下桟５３、前桟５４を組み合わせることで下板４３の両サイドの上面にそれぞれ垂直に立設されている。このように、作業ボックス４０の検査中の作業者Ｓの左右側面をガードする位置に設け、乗車部Ｅを形成して作業者Ｓを収容することで、作業ボックス４０の左右側面の開口部から作業者Ｓが落下することを防止し、壁面検査時の作業者Ｓの安全を確保することができる。
【００４５】
安全柵５０を形成する前桟５４は人が乗降するための乗降口としての開口部（図示せず）を設けることができる。その開口部（図示せず）には乗降時以外には開閉できないようにロック機構（図示せず）を設けることが望ましく、壁面検査時の作業者Ｓの安全性を確保する。
【００４６】
このように作業ボックス４０の背板４２及び安全柵５０により乗車部Ｅを形成することで、壁面検査時の作業者Ｓの安全を確保しつつ検査音（打診音又は摺動音）を直接もしくは集音マイク１６を通じて聴音できる。その結果、作業者Ｓは補修が必要な箇所を検出するのと同時に印をつけることができる。そのため、壁面の状態検査における診断と補修箇所の可視化を同時に実行でき作業効率を向上させることができる。
【００４７】
最後に、上述した実施形態の説明は本発明の一例であり、本発明は上述の実施形態に限定されることはない。このため、上述した実施形態以外であっても、本発明に係る技術的思想を逸脱しない範囲であれば、設計等に応じて種々の変更が可能であることは勿論である。
【符号の説明】
【００４８】
１０    枠本体
１１    上枠
１２    下枠
１３    左右枠
１４    本体吊下部
１５    車輪
１６    集音マイク
１７    錘吊下部
２０    打診部
２１    打診棒
３０    巻き上げ機
４０    作業ボックス
５０    安全柵
Ｅ      乗車部
Ｈ      壁面
Ｍ      モータ
Ｗ      錘
Ｒ      ワイヤロープ
Ｓ      作業者
【図１】
2019148547.tif 000003
【図２】
2019148547.tif 000004
【図３】
2019148547.tif 000005
【図４】
2019148547.tif 000006
【図５】
2019148547.tif 000007
【図６】
2019148547.tif 000008
【図７】
2019148547.tif 000009